(57)【要約】【課題】液体中の気体の流動様式に影響を受けることなく、天然ガスハイドレートの分解の制御を安定して行う。【解決手段】ガス生産システムは、地中内に埋設される先端部を有する長尺のライザー管を備える。ライザー管は、減圧法によりガスハイドレートから分解した気液混合物を管内の液体に取り込むように、先端部に開口した孔が設けられている。システムは、さらに、気相空間の圧力を計測する圧力計と、制御装置と、を備える。制御装置は、気相空間の圧力の測定値の気相空間の基準圧力からの変動量に応じてガスハイドレートに作用する圧力を制御することにより気液混合物の生産量を調整する。【選択図】図２
2019157458.tif 000002
【特許請求の範囲】
【請求項１】
地中内のガスハイドレートを分解してガスを生産するシステムであって、
地中内に埋設されるように構成された先端部を有する長尺状の管であって、前記先端部から上方に延びる前記管内の液体によって生じる圧力を用いて前記管の外部にあるガスハイドレートに作用する圧力を低減することにより、前記ガスハイドレートから分解して生成される気泡を含む気液混合物を前記管内の前記液体に取り込むように、前記先端部に設けられ前記管の外部に開口した孔を備えたライザー管と、
前記ライザー管内の液体の上方に形成される気相空間の圧力を計測する圧力計と、
前記気相空間の圧力の測定値の前記気相空間の基準圧力からの変動量に応じて、前記ガスハイドレートに作用する圧力を制御することにより前記気液混合物の生産量を調整する制御装置と、を備えることを特徴とするガス生産システム。
【請求項２】
前記気液混合物は、ガスの気泡と、前記液体に混入する水とを含み、
前記ライザー管は、前記水が混入する前記ライザー管内の前記液体を排出するポンプを有し、
前記制御装置は、前記気相空間の圧力の測定値の前記変動量に応じて、前記ポンプによる前記液体の排出量を調整することで、前記ガスハイドレートに作用する圧力を制御する、請求項１に記載のガス生産システム。
【請求項３】
前記ライザー管内の前記液体の上方には、前記気泡の少なくとも一部が前記液体の液面に浮上して前記気相空間に流入した気体を、生産するガスとして取り出すガス生成管を、備える、請求項１又は２に記載のガス生産システム。
【請求項４】
前記圧力計は、前記制御装置による前記ガスハイドレートに作用する圧力の制御に伴って変動する前記液体の液面高さの範囲の上方に位置している、請求項１から３のいずれか１項に記載のガス生産システム。
【請求項５】
地中内のガスハイドレートを分解してガスを生産する方法であって、
地中内に埋設された先端部を有し、前記先端部から上方に延びるライザー管内の液体によって生じる圧力を用いて前記管の外部にあるガスハイドレートに作用する圧力を低減させるステップと、
前記ガスハイドレートに作用する、低減された圧力によって前記ガスハイドレートから分解して生成される気泡を含む気液混合物を、前記ライザー管の外部に開口した孔から前記ライザー管内の前記液体に取り込み、前記気泡からガスを取り出すステップと、
前記液体の上方に形成された気相空間の圧力を計測するステップと、
前記ガスハイドレートに前記先端部における圧力を作用させるとき、および、前記気液混合物を前記ライザー管内の前記液体に取り込むとき、前記気相空間の圧力の測定値の前記気相空間の基準圧力からの変動量に応じて前記ガスハイドレートに作用する圧力を制御することにより前記気液混合物の生産量を調整するステップと、を備えることを特徴とするガス生産方法。
【請求項６】
さらに、ポンプを用いて、前記水が混入する前記液体を排出するステップを備え、
前記気液混合物は、ガスの気泡と、前記液体に混入する水とを含み、
前記気液混合物の生産量を調整するステップでは、前記気相空間の圧力の測定値の前記変動量に応じて、前記ポンプによる前記液体の排出量を調整することで、前記ガスハイドレートに作用する圧力を制御する、請求項５に記載のガス生産方法。
【請求項７】
前記ライザー管内の前記液体の上方から、前記気泡の少なくとも一部が前記液体の液面に浮上して前記気相空間に流入した気体を、生産するガスとして取り出すステップをさらに備える、請求項５または６に記載のガス生産方法。
【請求項８】
前記ガスハイドレートに作用する圧力を低減させるステップの前に、前記気相空間を形成しないように前記液体が前記ライザー管内に満たされた状態から、前記液体の一部を排出して、前記ガスハイドレートが分解開始するまで前記液体の液面高さを下げるステップをさらに備え、
前記気液混合物の生産量を調整するステップでは、前記ガスハイドレートが分解開始したときの前記気相空間の圧力値を前記基準圧力として、前記ガスハイドレートに作用する圧力を制御する、請求項５から７のいずれか１項に記載のガス生産方法。
【発明の詳細な説明】
【技術分野】
【０００１】
本発明は、地中内のガスハイドレートを分解してガスを生産するガス生産システム及びガス生産方法に関する。
【背景技術】
【０００２】
近年、天然ガス資源として、天然ガスハイドレートが注目されている。天然ガスは、燃焼時の二酸化炭素排出量が石油や石炭に比べ少なく、天然ガスと水からなる天然ガスハイドレートは、地球温暖化抑制の点で有望な資源である。
天然ガスハイドレートは、メタン分子を水分子が籠状に取り囲んだ結晶構造を有する包接化合物である。天然ガスハイドレートは、低温、高圧の環境下で、固体の状態で存在し、このような環境を満たす、深海の海底の表層や海底面下の地層中に安定して存在している。
【０００３】
従来、海底内に存在する天然ガスハイドレートから天然ガスを取り出す方法として、天然ガスハイドレートにかかる高い水圧に対して減圧された圧力を作用させることで天然ガスハイドレートを分解する減圧法が知られている（例えば、特許文献１）。
減圧法では、具体的に、天然ガスを海底から海上に向けて運ぶ管（ライザー管）を用いて、管内の海水を排出することで液面を下げ、ライザー管内の海水の圧力を、天然ガスハイドレートを含んだ海底内の地層（ハイドレート層）に作用させ、分解させる。天然ガスハイドレートが分解して生成した天然ガスは、液体と混ざり合った混相流（気液混合物）としてライザー管内の海水に取り込まれる。混相流を取り込んだ海水は、ライザー管内で、天然ガスと海水とに分離され（気液分離され）、それぞれ海上に排出される。
【０００４】
減圧法を用いて天然ガスの生産量を増やすためには、天然ガスハイドレートに作用する圧力を、天然ガスハイドレートが分解する圧力（分解圧力）の範囲に保つことが重要である。このため、減圧法では、混相流を取り込む取り込み口のあるライザー管の先端部における圧力（坑底圧）を計測して坑底圧を監視しながら、ポンプの回転周波数を制御して海水の排出量を制御することにより、坑底圧の調整を行っている。
【先行技術文献】
【特許文献】
【０００５】
【特許文献１】特開２０１０−２６１２５２号公報
【発明の概要】
【発明が解決しようとする課題】
【０００６】
ライザー管の海水に取り込まれた気液混合物には、天然ガスを含んだ気泡が含まれている。天然ガスハイドレートの分解を継続して行うと、液体中の気体の流れの形態（流動様式）が変化し、これに伴って、坑底圧が不安定になる場合がある。例えば、流路断面一杯に広がった大きな気泡と、微細気泡を含む液体部分とが流路に沿って交互に流れる形態の流れ（スラグ流）が発生すると、坑底圧は、急激に下がり、その後、ゆっくり上昇することを繰り返す（脈動する）ようになる。このような坑底圧に基づいて、天然ガスハイドレートに作用する圧力を制御して天然ガスの生産を行うと、天然ガスの生産量が一定であるにも拘らず、天然ガスハイドレートに作用する圧力が変動したと判断し、ライザー管内の液体の排出量を誤って調整するおそれがある。このような調整は、天然ガスハイドレートの分解の安定した制御を行う点から好ましくない。
また、坑底圧は、液体を吸い上げるポンプの故障など、ライザー管に関して発生した異常にも起因して変動する。このため、坑底圧が不安定な状態が定常化すると、このようなライザー管に関する異常に気づき難くなるという問題がある。水深の深い位置に配置されたポンプ等のメンテナンスには困難が伴うため、こうした異常が看過されることで、運転の継続に支障をきたすおそれがある。
【０００７】
そこで、本発明は、液体中の気体の流動様式に影響を受けることなく、ガスハイドレートの分解の制御を安定して行うことができるガス生産システム及び製造方法を提供することを目的とする。
【課題を解決するための手段】
【０００８】
本発明の一態様は、地中内のガスハイドレートを分解してガスを生産するシステムであって、
地中内のガスハイドレートを分解してガスを生産するシステムであって、
地中内に埋設されるように構成された先端部を有する長尺状の管であって、前記先端部から上方に延びる前記管内の液体によって生じる圧力を用いて前記管の外部にあるガスハイドレートに作用する圧力を低減することにより、前記ガスハイドレートから分解して生成される気泡を含む気液混合物を前記管内の前記液体に取り込むように、前記先端部に設けられ前記管の外部に開口した孔を備えたライザー管と、
前記ライザー管内の液体の上方に形成される気相空間の圧力を計測する圧力計と、
前記気相空間の圧力の測定値の前記気相空間の基準圧力からの変動量に応じて、前記ガスハイドレートに作用する圧力を制御することにより前記気液混合物の生産量を調整する制御装置と、を備えることを特徴とする。
【０００９】
前記気液混合物は、ガスの気泡と、前記液体に混入する水とを含み、
前記ライザー管は、前記水が混入する前記ライザー管内の前記液体を排出するポンプを有し、
前記制御装置は、前記気相空間の圧力の測定値の前記変動量に応じて、前記ポンプによる前記液体の排出量を調整することで、前記ガスハイドレートに作用する圧力を制御することが好ましい。
【００１０】
前記ライザー管内の前記液体の上方には、前記気泡の少なくとも一部が前記液体の液面に浮上して前記気相空間に流入した気体を、生産するガスとして取り出すガス生成管を、備えることが好ましい。
【００１１】
前記圧力計は、前記制御装置による前記ガスハイドレートに作用する圧力の制御に伴って変動する前記液体の液面高さの範囲の上方に位置していることが好ましい。
【００１２】
本発明の別の一態様は、地中内のガスハイドレートを分解してガスを生産する方法であって、
地中内に埋設された先端部を有し、前記先端部から上方に延びるライザー管内の液体によって生じる圧力を用いて前記管の外部にあるガスハイドレートに作用する圧力を低減させるステップと、
前記ガスハイドレートに作用する、低減された圧力によって前記ガスハイドレートから分解して生成される気泡を含む気液混合物を、前記ライザー管の外部に開口した孔から前記ライザー管内の前記液体に取り込み、前記気泡からガスを取り出すステップと、
前記液体の上方に形成された気相空間の圧力を計測するステップと、
前記ガスハイドレートに前記先端部における圧力を作用させるとき、および、前記気液混合物を前記ライザー管内の前記液体に取り込むとき、前記気相空間の圧力の測定値の前記気相空間の基準圧力からの変動量に応じて前記ガスハイドレートに作用する圧力を制御することにより前記気液混合物の生産量を調整するステップと、を備えることを特徴とする。
【００１３】
さらに、ポンプを用いて、前記水が混入する前記液体を排出するステップを備え、
前記気液混合物は、ガスの気泡と、前記液体に混入する水とを含み、
前記気液混合物の生産量を調整するステップでは、前記気相空間の圧力の測定値の前記変動量に応じて、前記ポンプによる前記液体の排出量を調整することで、前記ガスハイドレートに作用する圧力を制御するが好ましい。
【００１４】
前記ライザー管内の前記液体の上方から、前記気泡の少なくとも一部が前記液体の液面に浮上して前記気相空間に流入した気体を、生産するガスとして取り出すステップをさらに備えることが好ましい。
【００１５】
前記ガスハイドレートに作用する圧力を低減させるステップの前に、前記気相空間を形成しないように前記液体が前記ライザー管内に満たされた状態から、前記液体の一部を排出して、前記ガスハイドレートが分解開始するまで前記液体の液面高さを下げるステップをさらに備え、
前記気液混合物の生産量を調整するステップでは、前記ガスハイドレートが分解開始したときの前記気相空間の圧力値を前記基準圧力として、前記ガスハイドレートに作用する圧力を制御することが好ましい。
【発明の効果】
【００１６】
上述のガス生産システム及びガス生産方法によれば、液体中の気体の流動様式に影響を受けることなく、ガスハイドレートの分解の制御を安定して行うことができる。
【図面の簡単な説明】
【００１７】
【図１】本実施形態のガス生産システムを概略的に示す図である。
【図２】ライザー管の先端部付近の内部構成を説明する図である。体の形態の例を示す図である。
【発明を実施するための形態】
【００１８】
以下、本発明のガス生産システム及びガスの製造方法について説明する。なお、以降の説明では、ガスハイドレートとして天然ガスハイドレートを例として挙げるが、ガスハイドレートは天然ガスハイドレートに限定されない。
また、本明細書でいうガス生産システムは、地中のガスハイドレートを減圧して分解することによりガスを生成するものであり、海底表面にあるガスハイドレートからガスを生成するシステムと異なる。
【００１９】
（ガス生産システムの概略説明）
一実施形態のガス生産システム（以下、システムともいう）は、地中内のガスハイドレートを分解してガスを生産するシステムである。システムは、ライザー管と、圧力計と、制御装置と、を主に備える。
ライザー管は、地中内に埋設されるように構成された先端部を有する長尺状の管である。ライザー管は、先端部に設けられ、管の外部に開口した孔を備える。この外部に開口した孔は、ガスハイドレートから分解して生成される気泡を含む気液混合物を管内の液体に取り込むように設けられている。ガスハイドレートは、ライザー管の先端部から上方に延びる管内の液体によって生じる圧力を用いて管の外部にあるガスハイドレートに作用する圧力を低減することにより分解される。
圧力計は、ライザー管内の液体の上方に形成される気相空間の圧力を計測する。
制御装置は、気相空間の圧力の測定値の気相空間の基準圧力からの変動量に応じてガスハイドレートに作用する圧力を制御することにより気液混合物の生産量を調整する。
【００２０】
通常、ライザー管内の液体の液面高さが高くなると、気相空間の圧力及び先端部における圧力（坑底圧）はそれぞれ高くなり、坑底圧が高くなると、ガスハイドレートに作用する圧力も高くなる。このため、気相空間の圧力が高くなると、ガスハイドレートに作用する圧力も高くなるといえる。また、気相空間は、ライザー管内の液面の上方にあるため、気相空間の圧力は、坑底圧と比べて、液体中の気体の流動様式による影響を受け難い。
したがって、気相空間の圧力を用いることで、ガスハイドレートの分解のためにガスハイドレートに作用させる圧力を安定して制御することができる。具体的に、気相空間の圧力の測定値の気相空間の基準圧力からの変動量に応じて、ガスハイドレートに作用する圧力は制御される。
【００２１】
また、坑底圧は、液体中の気体の流動様式による影響を受け易く、圧力変動が発生し易いため、ポンプの故障など、ライザー管に関する異常が発生したと早急に判断することは難しい。一方、気相空間の圧力は、液体中の気体の流動様式による影響を受け難いので、この圧力が変動したときは、ライザー管に関して発生した異常であると判断し易い。つまり、気相空間の圧力を用いることで、坑底圧を用いた場合と比べ、ライザー管に関する異常が発生したことに速やかに気づくことができる。
【００２２】
（ガス生産システムの具体的な説明）
図１は、一実施形態のシステム１を概略的に示す図である。図２は、ライザー管１０の先端部１０ａ付近の内部構成を説明する図である。以下、海底の地中内の天然ガスハイドレートを分解して天然ガスを生産するシステム１を例に説明する。
【００２３】
システム１は、海上にある掘削船３から海底を経由して地中に延びるライザー管１０から地中内の天然ガスハイドレートを分解して生成される天然ガスを地上に取り出すシステムである。
システム１は、ライザー管１０と、気液分離装置２０と、ポンプ２３と、ガス生成ライン１２と、液体排出ライン１３と、制御装置４０と、を主に備える。
【００２４】
ライザー管１０は、地中内に埋設されるように構成された先端部１０ａを有する長尺状の管である。ライザー管１０は、図１に示す例では、掘削船３から鉛直下方に延び、先端部１０ａが、海底の坑井７内に埋設されている。坑井７は、掘削により設けられた穴であり、図１に示す例において、海底面２を含む上層４を貫通し、下層に位置するハイドレート層５内で閉塞している。上層４は、例えば、泥を多く含む泥質層である。ハイドレート層５は、例えば、泥と砂を多く含む砂泥互層と呼ばれる層である。ハイドレート層５は、天然ガスハイドレートが砂や泥に取り込まれて存在する、横方向に広がった砂質層を有している。上層４とハイドレート層５との境界は、例えば、海底面下数百メートルの位置にあり、海底面２は、例えば、水深３００メートル〜千数百メートルの位置にある。
【００２５】
ライザー管１０は、管本体１１と、スクリーン１９（図２参照）と、を備える。
気液分離装置２０と、ポンプ２３と、ガス生成ライン１２と、液体排出ライン１３の一部とが、管本体１１内に設けられている。
この他に、管本体１１内には、ヒータ２６が設けられている。
【００２６】
管本体１１は、揚収管として機能する部分１８の後述する孔１８ａを除いて、内側の空間を水や海水から隔絶する部材である。管本体１１には、図１に示す例では、内側の空間を上下に仕切る隔壁１７ａ、１７ｂ、及び隔壁１７ｃが設けられている。隔壁１７ｃからライザー管１０の先端まで延びる管本体１１の部分は、ハイドレート層５から液体内に取り込まれた気液混合物が液体とともに上方に向かって流れる部分１８（以降、この部分を、揚収管部分１８ともいう）であり、図１に示す例では、隔壁１７ｃから上方の管本体１１の部分と比べ、管径が小さい。揚収管部分１８は、ハイドレート層５内に位置している。
【００２７】
スクリーン１９は、揚収管部分１８にライザー管１０の外部に開口した孔１８ａを覆うように設けられている。孔１８ａは、ハイドレート層５内の砂質層と接する深さ位置にある揚収管部分１８に設けられている。
スクリーン１９は、天然ガスハイドレートの分解によって生成した気泡及び水、さらには海水を取り込み、砂や泥を分離除去する部材である。スクリーン１９は、気泡、水、海水を通過させるが、砂や泥を通過させない機能を有している。スクリーン１９は、例えば、多数の孔を有するシート状又は板状の構造体であって、互いに孔の大きさや形態が異なる複数の構造体から構成される。複数の構造体の組み合わせの具体例として、ジョンソンスクリーン、メッシュ、及びグレーチングが挙げられる。ジョンソンスクリーンは、ジョンソンスクリーン社製の金網状の構造体として周知である。グレーチングは鋼材を格子状に組んだ部材である。ジョンソンスクリーン、メッシュ、グレーチングは、揚収管部分１８の側からハイドレート５層の側に向かって、この順に、揚収管部分１８に重ねて配置される。
【００２８】
図２に示すように、揚収管部分１８には、スクリーン１９を通過した気液混合物を取り込むための複数の孔１８ａが深さ方向に沿って設けられている。孔１８ａは、揚収管部分１８の壁部を貫通し、揚収管部分１８の外部に開口している。ライザー管１０が孔１８ａを備えることで、坑底圧を用いて天然ガスハイドレートに作用する圧力を低減し、これによって、気液混合物をライザー管１０内に取り込むことができる。
坑底圧とは、ライザー管１０の先端部１０ａから上方に延びるライザー管１０内の所定の範囲に充填された液体によってライザー管１０内の先端部１０ａにおいて生じる圧力と後述する気相空間Ｇの圧力の和であり、後述する液面Ｓの下方の液体によって、ライザー管１０の下端が受ける水頭圧によって定まる圧力である。ライザー管１０の下端は、坑井７の穴底（坑底）と略同じ高さに位置している。ここで、先端部１０ａは、ライザー管１０のうち孔１８ａの設けられる部分を含む。
ライザー管１０内の液体には、天然ガスハイドレートから分解して生成された気液混合物が取り込まれるほか、孔１８ａを通って進入した水や海水が取り込まれる。気液混合物は気泡を含むので、ライザー管１０内の液体には気泡が混在している。水や海水は、ハイドレート層５に含まれる水や海水、ハイドレート層５と接する他の地層に含まれる水や海水を起源としている。
【００２９】
ライザー管１０は、揚収管部分１８の先端部、詳細にはライザー管１０の下端に設けられた、坑底圧を測定する圧力計３１を、さらに有している。圧力計３１は、制御装置４０に接続されており、坑底圧の計測信号を制御装置４０に向けて出力する。
【００３０】
図２に示すように、気液分離装置２０、ポンプ２３、及びヒータ２６は、隔壁１７ｂ、１７ｃによって仕切られたライザー管１０の空間１５ｂ内に設けられている。空間１５ｂ内には、図２に示す例において、液体の液面Ｓの上方に、気液分離装置２０によって液体から分離されたガスが流入する気相空間Ｇが形成される。なお、気相空間Ｇは、海底面２より上方に位置するようライザー管１０内に形成されることが好ましい。
【００３１】
気液分離装置２０は、揚収管部分１８内で液体に取り込まれる気液混合物中の気泡の少なくとも一部を分離する装置である。分離された気泡内のガスは、生産されるガスである。気液分離装置２０は、一実施形態によれば、囲み容器２１と、遠心分離器２２と、を有する。
【００３２】
囲み容器２１は、液体排出ライン１３を構成する液体輸送管１４（後述）の下端を外側から囲むコップ形状の部材である。なお、液体輸送管１４内には、遠心分離器２２及びポンプ２３が設けられている。図２に示す例では、囲み容器２１は、管本体１１の内壁と隙間をあけて配置された筒状の側壁２１ａと、側壁２１ａの下端を塞ぐ底壁２１ｂと、を有する。側壁２１ａの上端が、液体輸送管１４の下端より上方に位置している。これにより、気液混合物を含んだ液体は、図２に示す細い矢印に沿って、管本体１１と側壁２１ａの隙間を上昇した後、液体は、側壁２１ａと液体輸送管１４との隙間を下降し、液体輸送管１４内に流れ込む。この過程で、比較的大きい気泡は、浮上速度が大きいため、液体が液体輸送管１４内に流れ込むまでに、液体の流れと分離して液面Ｓに浮上し、ガスが気相空間Ｇに放出される。図２において、気泡の流れを太い矢印で示す。
すなわち、気液分離装置２０は、液体の流路が上方に向けた上昇路と、液体から気泡の一部を排除するために、上昇路に接続され液体の流路を上方から下方に変更させる下降路と、を備える。このような気液分離の方式を、気体と液体にかかる重力（比重）を利用して分離するので、重力分離方式という。
【００３３】
遠心分離器２２は、液体輸送管１４内に流れ込む液体中に依然として残存する比較的小さい気泡を液体から分離する装置である。遠心分離器２２は、図２に示す例では、液体輸送管１４内に設けられ、鉛直方向に延びる回転中心線の周りに回転する回転体２２ａを有する。回転体２２ａは、後述するモータ２４によって駆動される。気泡を含んだ液体は、回転体２２ａに接近すると、回転体２２ａの回転によって作られた旋回流に沿って流れる。このとき、気泡及び液体に遠心力が作用し、液体は、気泡より比重が大きいため、回転中心線から遠ざかるように移動し、気泡は、液体に比べて回転中心線に近い側に集められる。このとき、集められて大きくなった気泡は、液体輸送管１４に設けられた、液体輸送管１４の外部に開口する孔から放出される。これにより、液面Ｓに浮上し気相空間Ｇに放出される。一方、液体輸送管１４の孔から放出されなかった微小な気泡は、液体とともに液体輸送管１４内を上昇する。このように、遠心力を利用して分離する方式を遠心分離方式という。
このように、気液分離装置２０は、重力分離方式と遠心分離方式を併用するが、一実施形態によれば、重力分離方式のみで気液分離を行うことができる。また、一実施形態によれば、重力分離方式のみで気液分離を行うこともできる。
【００３４】
ポンプ２３は、液体を液体輸送管１４内に引き込んでライザー管１０から排出させる。図２に示す例のポンプ２３は、液体輸送管１４内に配置されており、モータ２４と、モータ２４によって駆動されるスクリュー２５と、を有するオーガポンプである。スクリュー２５は、鉛直方向に延びる軸と、軸の周りを螺旋状に延びる羽根と、を有しており、液体輸送管１４内の液体を撹拌しながら上方に送る機能を有する。モータ２４は、掘削船３の制御装置４０に電気的に接続されている。モータ２４は、制御装置４０から出力された信号を受けて、設定された周波数あるいは調整された周波数で駆動するよう制御される。モータ２４は、液体輸送管１４内に、液体の流路となる隙間を形成するよう、液体輸送管１４内に配置されている。なお、システム１の運転中、ライザー管１０には孔１８ａを通って海水あるいは水が流入し続けることから、通常、ポンプ２３は稼働した状態に維持される。
【００３５】
ヒータ２６は、空間１５ｂ内に流れ込んだ液体を加熱する装置である。ヒータ２６は、制御装置４０に接続されている。天然ガスハイドレートの分解反応は吸熱反応であるため、液体に取り込まれた気液混合物の温度が低下して天然ガスハイドレートが再生成し、例えば、液体輸送管１４の下端を閉塞させる場合がある。ヒータ２６は、システム１の運転中に継続してあるいは断続的に、液体を加熱して、天然ガスハイドレートの再生成を抑制する。また、天然ガスハイドレートが再生成したと判断された場合に、制御装置４０から出力された信号を受けて駆動するよう制御され、液体を加熱することで、再生成した天然ガスハイドレートを加熱し、分解させる。
【００３６】
ガス生成ライン１２は、液面Ｓに浮上した気泡から生成され、気相空間Ｇに流入したガスを、生産する天然ガスとしてライザー管１０内から取り出す、ガスの流路を構成する。具体的に、ガス生成ライン１２は、気相空間Ｇ内のガスを、生産する天然ガスとして掘削船３まで運ぶ管（ガス生成管）からなる。ガス生成ライン１２は、管本体１１内に、液面Ｓの上方に配置されており、ガス生成ライン１２の下端は、気相空間Ｇに接続されている。
ガス生成ライン１２の先端部には、ガスの流量を調節する弁が設けられている。弁の開度は、ガスが一定量で排出されるよう調節されている。また、ガス生成ライン１２の先端は、例えば、掘削船３あるいは他の船舶に備え付けられた貯蔵タンク（図示せず）に接続されている。貯蔵タンクに貯蔵された天然ガスは、適宜、液化され、掘削船３あるいは他の船舶で海上を輸送される。
【００３７】
液体排出ライン１３は、管本体１１内で天然ガスと分離した液体を掘削船３まで運ぶ、液体の流路を構成する。
液体排出ライン１３は、図１に示す例において、気液分離装置２０から空間１５ａまで延びる液体輸送管１４と、管本体１１から分岐して、空間１５ａから掘削船３まで延びる管１６と、を有している。空間１５ａは、隔壁１７ａ，１７ｂで仕切られた空間である。
排出された液体は、回収され、例えば貯水される。
【００３８】
隔壁１７ｂには、気相空間Ｇの圧力を計測する圧力計３０が設けられている。圧力計３０は、制御装置４０に接続されており、気相空間Ｇの圧力の計測結果の情報が、制御装置４０に送信される。上述したように、気相空間Ｇの圧力は、液体の液面Ｓの位置と相関性を有し、液体の液面Ｓの位置は、天然ガスハイドレートに作用する圧力と相関性を有している。したがって、気相空間Ｇの圧力は、天然ガスハイドレートに作用する圧力と相関性を有し、気相空間Ｇの圧力は、ハイドレート層５の天然ガスハイドレートの分解の速度に影響を与える圧力であり、気液混合物の生産量に影響を与える圧力であるといえる。圧力計３０は、図２に示す例では、空間１５ａを囲む壁面に設けられている。
また、ライザー管１０の先端部１0ａには、ライザー管１０の先端部１０ａにおける圧力（坑底圧）を計測する圧力計３１が設けられている。圧力計３１は、制御装置４０に接続されており、先端部１０ａにおける圧力（坑底圧）の計測結果の情報が、制御装置４０に送信される。先端部１０ａにおける圧力は、液体の液面Ｓの位置及び気相空間Ｇの圧力によって定まる。
【００３９】
制御装置４０は、気液混合物の生産量を調整するために、天然ガスハイドレートに作用する圧力を制御するよう構成される。制御装置４０は、天然ガスハイドレートに作用する圧力の制御を、気相空間Ｇの圧力の測定値を用いて行う。気相空間Ｇの圧力を用いた、天然ガスハイドレートに作用する圧力の制御については後述する。制御装置４０は、ＣＰＵ、メモリ等を含むコンピュータで構成される。制御装置４０は、図１に示す例において、掘削船３に設けられている。
【００４０】
システム１は、例えば、ライザー管１０となる資材、及び圧力計３０，３１、制御装置４０を掘削船３に積み、海上の所定の位置まで輸送して組み立てられる。坑井７は、システム１を組み立てる前に予め掘削される。
【００４１】
システム１は、掘削船３の代わりに、固定式又は浮遊式の洋上プラットフォームを備えてもよい。この場合、洋上プラットフォームと陸地とを接続し、洋上プラットフォームから陸地に天然ガスを輸送するパイプラインを備えることが好ましい。
【００４２】
（天然ガスハイドレートに作用する圧力の調整）
制御装置４０は、気相空間Ｇの圧力の測定値の気相空間Ｇの基準圧力からの変動量に応じて、天然ガスハイドレートに作用する圧力を制御し、これにより、気液混合物の生産量を調整する。気相空間Ｇの圧力の測定値は、圧力計３０から送信される計測結果の情報から取得される。気相空間Ｇの基準圧力とは、天然ガスハイドレートが分解開始したときの圧力、具体的には、ガス生成ライン１２からのガスの排出量が所定量に達したときの圧力をいう。上述したように、気相空間Ｇの圧力は、天然ガスハイドレートに作用する圧力と相関性を有している。また、気相空間Ｇは、ライザー管１０内の上方に位置しているため、気相空間Ｇの圧力は、坑底圧と比べて、液体中のガスの流動様式による影響を受け難い。したがって、気相空間Ｇの圧力を用いることで、天然ガスハイドレートの分解のために天然ガスハイドレートに作用させる圧力を安定して制御することができる。
【００４３】
具体的には、制御装置４０は、気相空間Ｇの圧力に関して目標圧力の範囲の情報を保持している。目標圧力の範囲は、天然ガスハイドレートを分解させる圧力に対応した気相空間Ｇの圧力の範囲であり、基準圧力を含む圧力の範囲である。気相空間Ｇの圧力が目標圧力の範囲内であれば、気相空間Ｇの圧力の測定値の基準圧力からの変動量の大きさは許容範囲内であり、天然ガスハイドレートの分解の速度を所定の範囲に制御し、気液混合物の生産量を調整することができる。
制御装置４０は、一定の時間間隔で、気相空間Ｇの圧力の測定値が目標圧力の範囲にあるか否かを判定する。
この判定において、気相空間Ｇの圧力の測定値が目標圧力の範囲内にあれば、ガスハイドレートに作用する圧力を維持する制御を行う。具体的に、制御装置４０は、ポンプ２３の回転数を維持することで、ポンプ２３による液体の排出量を維持する。これにより、天然ガスハイドレートに作用する圧力が維持される。
【００４４】
一方、気相空間Ｇの圧力の測定値が目標圧力の範囲を超えて高くなっている場合、気相空間Ｇの圧力の測定値の基準圧力からの変動量が許容範囲を超え、天然ガスハイドレートの分解の速度が所定の範囲にないので、気相空間Ｇの圧力が低くなるよう制御が行われる。具体的に、制御装置４０は、ポンプ２３の回転数を上げ、ポンプ２３による液体の排出量を増加させる。これにより、天然ガスハイドレートに作用する圧力が高くなり、天然ガスハイドレートの分解を促進することができる。
【００４５】
また、気相空間Ｇの圧力の測定値が目標圧力の範囲より低くなっている場合、気相空間Ｇの圧力の測定値の基準圧力からの変動量が許容範囲を超え、天然ガスハイドレートの分解の速度が所定の範囲にないので、気相空間Ｇの圧力が高くなるよう制御が行われる。具体的に、制御装置４０は、ポンプ２３の回転数を下げ、ポンプ２３による液体の排出量を低減する。これにより、天然ガスハイドレートに作用する圧力が低くなり、天然ガスハイドレートの分解を抑制することができる。
【００４６】
以上のように、気相空間Ｇの圧力の測定値を用いて、気相空間Ｇの圧力の測定値の気相空間Ｇの基準圧力からの変動量に応じた制御を行うことで、坑底圧を用いる場合と比べて、天然ガスハイドレートの分解のために天然ガスハイドレートに作用させる圧力を安定して制御することができる。
なお、ライザー管１０内の液体の液面高さは、液体中の気体の流動様式が変化して、液体中の気体の割合が大きくなることで、高くなる場合がある。この場合、気相空間Ｇの圧力は高くなる一方で、坑底圧は、混相流の比重が小さくなるために、低くなることがある。しかし、液体中の気体の割合が大きくなる場合は、天然ガスハイドレートの分解量が多い場合であるため、坑底圧は低くなっても、天然ガスハイドレートに作用する圧力は高くなる。したがって、気相空間の圧力が高くなると、上述したように、天然ガスハイドレートに作用する圧力も高くなるといえる。また、液体中の気体の割合が変動した場合、気相空間の圧力は、坑底圧と比べ、変動し難い。このため、液体中の気体の流動様式が変化した場合にも、上述したように、気相空間の圧力の変動量に応じて、天然ガスハイドレートに作用させる圧力を安定して制御することができる。
【００４７】
また、気相空間Ｇの圧力を用いて、気相空間Ｇの圧力の測定値の気相空間Ｇの基準圧力からの変動量に応じた制御を行うことで、坑底圧を用いた場合と比べ、ライザー管内で異常が発生したことに速やかに気づくことができる。
【００４８】
例えば、ポンプ２３が故障すると、液体排出ライン１３内に水が吸い上げられない。一方で、ライザー管１０内には孔１８ａを通して水や海水が取り込まれ続ける。このため、液面高さが上昇し続け、気相空間Ｇの圧力も上昇を続ける。しかし、ライザー管１０内の液体中の気体の流動様式の変動によって、気相空間Ｇの圧力がこのように変動することはない。このため、気相空間Ｇがこのような変動を示した場合は、異常が発生したことに気づきやすい。
この場合、制御装置４０は、例えば、ポンプ２３の駆動を停止することで、システム１の運転を停止する。システム１の停止後、ポンプ２３の状態の確認など、異常を特定するための作業が行われ、必要に応じて、ポンプ２３の修理、交換等が行われる。その後、制御装置４０は、ポンプ２３の駆動を再開し、システム１の運転を再開する。
【００４９】
また、例えば、ライザー管１０の孔１８ａあるいはスクリーン１９が、砂や泥、あるいは、ライザー管１０の外側で再生成した天然ガスハイドレートによって塞がって、ライザー管１０内の液体に取り込まれる気液混合物の量が減少すると、ライザー管１０内の液面高さが下降し続け、気相空間Ｇの圧力も下降を続ける。しかし、ライザー管１０内の液体中の気体の流動様式によって、気相空間Ｇの圧力がこのように変動することはないため、気相空間Ｇがこのような変動を示した場合は、異常が発生したことに気づきやすい。
この場合も、制御装置４０は、例えば、ポンプ２３の駆動を停止することで、システム１の運転を停止する。システム１の停止後、ライザー管１０の孔１８ａやスクリーン１９の状態の確認など、異常を特定するための作業が行われ、適宜、例えば、再生成した天然ガスハイドレートを、インヒビターを用いて融解させることが行われる。その後、制御装置４０は、ポンプ２３の駆動を再開し、システム１の運転を再開する。
【００５０】
このように、気相空間Ｇの圧力を用いることで、坑底圧を用いた場合と比べ、ライザー管内で異常が発生したことに速やかに気づくことができる。
【００５１】
制御装置４０は、目標圧力の範囲の情報に加え、許容圧力の範囲の情報を保持していてもよい。許容圧力の範囲は、目標圧力の範囲よりも広い、目標圧力の範囲を包含する気相空間Ｇの圧力の範囲である。制御装置４０は、例えば、気相空間Ｇの圧力が許容圧力の範囲を超えれば、ポンプ２３の回転数を下げ、気相空間Ｇの圧力が許容圧力の範囲内であれば、ポンプ２３の駆動を継続することができる。
【００５２】
以上のように、制御装置４０は、気相空間Ｇの圧力の測定値の気相空間Ｇの基準圧力からの変動量に応じて、天然ガスハイドレートに作用する圧力を制御する。これにより、坑底圧を用いる場合と比べて、天然ガスハイドレートの分解のために天然ガスハイドレートに作用させる圧力を安定して制御することができる。また、気相空間Ｇの圧力を用いることで、坑底圧を用いた場合と比べ、ライザー管内で異常が発生したことに速やかに気づくことができる。
【００５３】
制御装置４０は、気相空間Ｇの圧力の測定値の変動量に応じて、ポンプ２３による液体の排出量を調整することで、天然ガスハイドレートに作用する圧力を制御することが好ましい。気液混合物には、ライザー管内の液体に混入する水が含まれており、天然ガスハイドレートの分解が行われている間、ライザー管１０内には絶えず水や海水が流入する。この場合に、ポンプ２３を用いて液体の排出量の調整を行うことで、天然ガスハイドレートに作用する圧力の制御を容易に行うことができる。
【００５４】
ライザー管１０内の液面Ｓの上方には、気泡の少なくとも一部が液面Ｓに浮上して気相空間Ｇに流入した気体を、生産する天然ガスとして取り出すガス生成ライン１２を備えることが好ましい。ガス生成ライン１２内の空間が気相空間Ｇと連通していることにより、液体の液面高さが上がったときに、ガス生成ライン１２内の空間がバッファとして機能し、気相空間Ｇ内の圧力が過度に上昇することが抑制される。
【００５５】
圧力計３０は、制御装置４０による、天然ガスハイドレートに作用する圧力の制御に伴って変動する液面高さの範囲の上方に位置していることが好ましい。これによって、液面高さが高くなっても、気相空間Ｇの圧力を継続して計測することができる。制御装置４０は、液面高さの範囲が、図２に示す例では、囲み容器２１の上端より上方、かつ、隔壁１７ｂより下方の高さ範囲内となるよう、天然ガスハイドレートに作用する圧力の制御を行う。液面高さが、囲み容器２１の上端の高さ位置以下であると、気液混合物が、囲み容器２１内に流入することができず、ポンプの空引きを発生させてしまう。また、液面高さが、隔壁１７ｂの高さ位置以上であると、気相圧力を計測できない。
【００５６】
したがって、一実施形態として、地中内のガスハイドレートを分解してガスを生産する天然ガス生産方法を以下のように実現することができる。
地中内に埋設された先端部１０ａを有し、先端部１０ａから上方に延びるライザー管１０内の液体によってライザー管１０内に生じる先端部１０ａにおける圧力を用いてライザー管１０の外部にある天然ガスハイドレートに作用する圧力を低減させる。
次に、天然ガスハイドレートに作用する、低減された圧力によって天然ガスハイドレートから分解して生成される気泡を含む気液混合物を、ライザー管１０の外部に開口した孔１８ａからライザー管１０内の液体に取り込む。
液体の上方に形成された気相空間Ｇの圧力を計測する。
ガスハイドレートに先端部１０ａにおける圧力を作用させるとき、および、気液混合物をライザー管１０内の液体に取り込むとき、ライザー管１０内の空間に、気相空間Ｇの圧力の測定値の気相空間Ｇの基準圧力からの変動量に応じてガスハイドレートに作用する圧力を制御することにより気液混合物の生産量を調整する。
【００５７】
天然ガス生産方法は、さらに、ポンプを用いて、水が混入する液体を排出する。
気液混合物は、ガスの気泡と、液体に混入する水とを含んでいる。天然ガス生産方法では、気液混合物の生産量を調整するとき、気相空間の圧力の測定値の変動量に応じて、ポンプ２３による、水が混入する液体の排出量を調整することで、ガスハイドレートに作用する圧力を制御することが好ましい。気液混合物には、ライザー管内の液体に混入する水が含まれており、天然ガスハイドレートの分解が行われている間、ライザー管１０内には絶えず水や海水が流入する。この場合に、ポンプ２３を用いて液体の排出量の調整を行うことで、天然ガスハイドレートに作用する圧力の制御を容易に行うことができる。
【００５８】
天然ガス生産方法では、ライザー管内の液面の上方から、気泡の少なくとも一部が液面に浮上して気相空間に流入した気体を、生産するガスとして取り出すことを、さらに行うことが好ましい。この態様では、ガスが取り出される空間（例えば、ガス生成ライン１２内の空間）が気相空間Ｇと連通していることにより、液体の液面高さが上がったときに、ガスが取り出される空間がバッファとして機能し、気相空間Ｇ内の圧力が過度に上昇することを抑制することができる。
【００５９】
天然ガス生産方法では、天然ガスハイドレートに作用する圧力の制御の前に、気相空間Ｇを形成しないように液体がライザー管１０内に満たされた状態から、液体の一部を排出して、ガスハイドレートが分解開始するまで液体の液面高さを下げること、をさらに行うが好ましい。この場合、坑底圧を用いて、液面高さを下げることができる。坑底圧は、例えば、圧力計３１から送信される計測結果の情報から取得される。液体の上方に気相空間Ｇが形成されたら、坑底圧に代えて、気相空間Ｇの圧力を用いて、上記説明した、気相空間Ｇの圧力の測定値を用いた制御を行う。すなわち、気液混合物の生産量を調整するとき、天然ガスハイドレートが分解開始し、気液混合物が生産され始めたときの気相空間Ｇの圧力値を基準圧力として、天然ガスハイドレートに作用する圧力を制御する。
【００６０】
以上、本発明のガス生産システム及びガス生産方法について詳細に説明したが、本発明は上記実施形態に限定されず、本発明の主旨を逸脱しない範囲において、種々の改良や変更をしてもよいのはもちろんである。
【符号の説明】
【００６１】
１  ガス生産システム
２  海底面
３  掘削船
４  上層
５  ハイドレート層
７  坑井
１０  ライザー管
１０ａ  先端部
１１  管本体
１２  ガス生成ライン
１３  液体排出ライン
１４  液体輸送管
１５ａ  空間
１６  管
１７ａ，１７ｂ，１７ｃ  隔壁
１８  揚収管部分
２０  気液分離装置
２１  囲み容器
２１ａ  側壁
２１ｂ  底壁
２２  遠心分離器
２３  ポンプ
２４  モータ
２５  スクリュー
２６  ヒータ
３０，３１  圧力計
４０  制御装置
【図１】
2019157458.tif 000003
【図２】
2019157458.tif 000004